(57)【要約】      （修正有）【課題】空気圧縮用コンプレッサ、ホース、噴射ノズルなどを使用せずに防除液が貯蔵されている防除タンクから直接防除液を遠距離まで噴霧できる防除機を提供する。【解決手段】防除液が貯蔵されている防除タンク１１０の上部に位置して防除タンクの防除液に浸される中空管１２２を回転させることによって中空管の内部に流入される防除液を水粒子に変え、水粒子が噴霧される噴霧排出部１２１ａが提供された外部ハウジング１２１を有する噴霧手段１２０を含む防除機１００であって、噴霧排出部に一端部が結合されている連結部１６６と、後方の装着部に装着された送風手段１８０の動作によって送風される空気が前方の吐出部側に流動する空気流動路を有する本体１６０ａとからなるダクト１６０とで構成され、噴霧排出部を通じて噴霧される水粒子は連結部に沿って移動後、空気流動路に合流し送風手段によって送風される空気と共に吐出部を通じて外部に吐出される。【選択図】図１
2014226142.tif 000002
【特許請求の範囲】
【請求項１】
内部に防除液が貯蔵されている防除タンクの上部に位置して前記防除タンクの防除液に浸される中空管を回転させることによって前記中空管の内部に流入される防除液を水粒子に変え、前記水粒子が噴霧される噴霧排出部が提供された外部ハウジングを有する噴霧手段を含む防除機であって、
前記外部ハウジングの噴霧排出部に一端部が結合されている連結部と、前記連結部の他端部に空気が滞り無く通過できるように連結され、後方の装着部に装着された送風手段の動作によって送風される空気が前方の吐出部側に流動する空気流動路を有する本体と、からなるダクトと；
前記送風手段の動作を制御する制御部と；
前記防除タンクにおいて前記中空管を取り囲むように設けられ、前記防除液が滞り無く通過可能な複数個の通水孔が下部に形成されている分離タンクと；
前記防除液の水位に応じて前記中空管に沿って移動可能なように中央に穴が形成されており、前記防除液の表面に浮いている状態で前記分離タンク内部に設けられる揺動防止板と；をさらに含み、
前記外部ハウジングの噴霧排出部を通じて噴霧される水粒子は前記連結部に沿って移動した後、前記本体の空気流動路に合流して前記送風手段の動作によって送風される空気と共に前記吐出部を通じて外部に吐出されることを特徴とするハウス農業用超微粒子防除機。
【請求項２】
前記揺動防止板は、前記防除液の表面に接触する平坦部と前記平坦部の枠において折曲されて前記分離タンクの内側面に接触するフランジ部とからなることを特徴とする、請求項１に記載のハウス農業用超微粒子防除機。
【請求項３】
前記噴霧手段には前記中空管と共に回転するインペラが提供され、前記外部ハウジングの下部には前記インペラの回転によって外部空気が流入される空気流入部が提供され、前記空気流入部には異物の流入を遮断するフィルタが提供されていることを特徴とする、請求項１または２に記載のハウス農業用超微粒子防除機。
【請求項４】
前記中空管の下部外側面には、前記分離タンク内部の防除液を攪拌させる攪拌翼が設けられていることを特徴とする、請求項１から３のうち１項に記載のハウス農業用超微粒子防除機。
【発明の詳細な説明】
【技術分野】
【０００１】
本発明は、病虫害を防止するためのハウス農業用防除機に関することで、さらに詳細にはハウス内で移動する状態でも粉末薬剤と水が混合されている防除液を超微粒の水粒子状態で効果的に噴霧することができるハウス農業用超微粒子防除機に関することである。
【背景技術】
【０００２】
一般的に、ビニールハウスやガラス温室で栽培される施設園芸作物を病虫害から予防するか、あるいは駆除するために農薬又は栄養剤のような薬剤と水が混合されている防除液を前記作物に噴霧する無人噴霧装置が使用されている。
【０００３】
通常、無人噴霧装置は、コンプレッサを作動して防除タンクに貯蔵されている防除液を噴霧ノズルを通じて高圧で噴霧するようになる。このとき、防除タンクと噴霧ノズルは、ホースのような連結部材を通じて連結され、防除タンクから防除液が円滑に供給され得るように、ホースは防除タンクの下部に締結される。
【０００４】
特許文献１には、防除薬品が供給される吸入ホースと防除薬品を噴射する噴射ノズルが連結されている噴射手段を備えた無人自動防除装置が開示されている。
【０００５】
特許文献２には、薬液タンクと噴射ノズルがホースを通じて連結されているビニールハウス用作業車が開示されている。
【０００６】
特許文献３には、薬液タンクに噴射ノズルが装着されている噴射台が直接結合されている園芸用防除機が開示されている。
【０００７】
特許文献４には、薬液供給ホースを通じて供給される薬剤が噴射ノズルを通じて噴射される防除機を有する無人防除装置が開示されている。
【０００８】
上述された特許文献に開示されている防除装置には別途の噴射ノズルを備えており、かつ防除液が貯蔵されている防除タンクと噴射ノズルを連結するためのホース及び空気を高圧で圧縮させるコンプレッサを別途に備えていなければならないので、防除装置の重量を増加させ、移動性が落ち、防除効率が低下し、また高価な価格を払わなければならない問題点があった。
【０００９】
一方、本発明者は、空気圧縮用コンプレッサ、ホース、噴射ノズルなどを使用せずに防除液が貯蔵されている防除タンクから直接防除液を噴霧することができるハウス農業用超微粒子防除機を開発し、２０１３年４月１２日に大韓民国において実用新案登録出願をした。しかし、このようなハウス農業用超微粒子防除機の作動時、防除機において防除液を超微粒子の状態に効果的に形成したが、噴霧距離を調節するのに限界があった。
【先行技術文献】
【特許文献】
【００１０】
【特許文献１】大韓民国登録特許公報第１０−１１２０４９０号
【特許文献２】大韓民国公開特許公報第１０−２００２−００８５５７１号
【特許文献３】大韓民国公開特許公報第１０−２００２−００７４９８７号
【特許文献４】大韓民国公開特許公報第１０−２００１−００２０７５６号
【発明の概要】
【発明が解決しようとする課題】
【００１１】
本発明は、上述されたとおりの従来の問題点を解決するために案出されたことで、空気圧縮用コンプレッサ、ホース、噴射ノズルなどを使用せずに防除液が貯蔵されている防除タンクから直接防除液を遠距離まで噴霧することができる防除機を提供するところにその目的がある。
【００１２】
本発明のもう一つの目的は、噴霧される防除液の噴霧状態を超微粒子状態に形成して作物に対する防除液の防除効率を向上させることができ、かつ移動が容易でありながら、防除液の噴霧距離を効果的に調節することができるハウス農業用超微粒子防除機を提供するところにその目的がある。
【００１３】
本発明のまたもう一つの目的は、防除液が貯蔵されている防除タンクが移動する間にも防除液を効果的に超微粒状態の水粒子で噴霧することができるハウス農業用超微粒子防除機を提供するところにその目的がある。
【課題を解決するための手段】
【００１４】
前記目的を達成するために、本発明によれば、内部に防除液が貯蔵されている防除タンクの上部に位置して前記防除タンクの防除液に浸される中空管を回転させることによって前記中空管の内部に流入される防除液を水粒子に変え、前記水粒子が噴霧される噴霧排出部が提供された外部ハウジングを有する噴霧手段を含む防除機は、前記外部ハウジングの噴霧排出部に一端部が結合されている連結部と、前記連結部の他端部に空気が滞り無く通過できるように連結され、後方の装着部に装着された送風手段の動作によって送風される空気が前方の吐出部側に流動する空気流動路を有する本体とからなるダクトと；前記中空管を取り囲むように前記防除タンクに設けられ、前記防除液が滞り無く通過可能な複数個の通水孔が下部に形成されている分離タンクと；をさらに含み、前記外部ハウジングの噴霧排出部を通じて噴霧される水粒子は前記連結部に沿って移動した後、前記本体の空気流動路に合流して前記吐出部を通じて外部に吐出され、前記中空管の下部外側面には前記分離タンク内部の防除液を攪拌させる攪拌翼が設けられていることを特徴とする。
【００１５】
前記防除液の水位に応じて前記中空管に沿って移動可能なように中央に穴が形成されており、前記防除液の表面に浮いている状態で前記分離タンク内部に設けられる揺動防止板をさらに含み、前記揺動防止板は前記防除液の表面に接触する平坦部と前記平坦部の枠において折曲されて前記分離タンクの内側面に接触するフランジ部とからなる。
【００１６】
前記噴霧手段には、前記中空管と共に回転するインペラが提供され、前記外部ハウジングの下部には、前記インペラの回転によって外部空気が流入される空気流入部が提供され、前記空気流入部には異物の流入を遮断するフィルタが提供される。
【発明の効果】
【００１７】
本発明によれば、空気圧縮用コンプレッサ、ホース、噴霧ノズルなどを使用せずにモーターの高速回転運動を利用して防除タンクから中空管の内部に流入された防除液を金属フレームに衝突させて超微粒状態の水粒子を形成し、このような超微粒状態の水粒子を送風手段の作動によって送風される空気と共に外部に吐出するので、防除液の噴霧距離と噴霧量を調節することができ、かつ防除機を軽量化させることができる。
【００１８】
防除タンクが移動する間、防除タンクに貯蔵されている防除液が揺動するか、または防除タンクが傾いていても防除液が効果的に噴霧できるようにする。
【００１９】
防除液を超微粒形態の水粒子に変えて噴霧するので、薬剤の使用量を低減させることができる。
【図面の簡単な説明】
【００２０】
【図１】本発明による防除機を図示した図面である。
【発明を実施するための形態】
【００２１】
以下、添付された図面を参照して本発明による防除機の構成及び作動について説明する。
【実施例１】
【００２２】
まず、防除機１００は、内部に防除液が貯蔵されている防除タンク１１０と、防除タンク１１０の上部に設けられて防除タンク１１０に貯蔵されている防除液に浸される中空管１２２を回転させることによって中空管１２２の内部に流入される防除液を噴霧させる噴霧手段１２０とを含む。
【００２３】
前記噴霧手段１２０は、上部と下部が開放されている所定形状の外部ハウジング１２１を有する。外部ハウジング１２１の上部は、超微粒形態の水粒子が排出される噴霧排出部１２１ａが提供され、その下部には外部空気が流入される空気流入部１２１ｂが提供される。このとき、外部ハウジング１２１の内部には回転モーター１２６が安着台１２６ｂ上に安着された状態で設けられ、回転モーター１２６の下部には回転軸１２６ａが下方に突出し、安着台１２６ａには回転軸１２６ａが回転可能な状態で貫通する貫通穴が形成される。図面番号１２５は回転モーター１２６を保護するモーター蓋である。外部ハウジング１２１の内側面とモーター蓋１２５の外側面との間は水粒子が流動する流動空間を形成する。
【００２４】
安着台１２６ａの貫通穴を貫通して下部に露出された回転軸１２６ａの下部には中空管１２２が結合され、このような中空管１２２の防除タンク１１０の防除液に浸るように延長する。回転モーター１２６の作動によって回転軸１２６ａが回転するようになると、中空管１２２も回転するようになる。
【００２５】
中空管１２２の外側面には、所定間隔に離隔されている第１回転板１２８ａと第２回転板１２８ｂが設けられ、回転板１２８ａ、１２８ｂの間の空間は、回転板１２８ａ、１２８ｂが回転している間、中空管１２２の内部を通じて流入された防除液が遠心力によって外部に流動し得る流動空間部を形成する。また、防除タンク１１０の防除液の表面から離隔された上部位置に該当する中空管１２２の中間部にはインペラ１２４が設けられ、流動空間部の端部には多数個のスリットを有する金属フレーム１２９が設けられる。
【００２６】
上述された構成からなる回転円板式噴霧手段１２０において、回転モーター１２６が動作して回転軸１２６ａが回転するようになると、回転軸１２６ａに連結された中空管１２２が回転するようになり、その結果、中空管１２２の上部に設けられた第１回転板１２８ａと第２回転板１２８ｂが回転するようになる。
【００２７】
第１回転板１２８ａと第２回転板１２８ｂの回転によって回転軸１２６ａの周囲の圧力が降下すると、防除タンク１１０に貯蔵されている防除液は中空管１２２の内側面に沿って上方に移動した後、回転する第１回転板１２８ａと第２回転板１２８ｂの回転によって形成される遠心力によって第１回転板１２８ａと第２回転板１２８ｂとの間の流動空間部に沿って流動するようになる。
【００２８】
そして、前記流動空間部の端部に吐出される防除液は、金属フレーム１２９に衝突しながら微細な超微粒状態の水粒子を形成し、このような水粒子は金属フレーム１２９のスリットを通過するようになる。
【００２９】
一方、中空管１２２の中間部に設けられたインペラ１２４が回転するようになると、外部空気は外部ハウジング１２１下部の空気流入部を通じて外部ハウジング１２１内部に流入された後、外部ハウジング１２１上部の噴霧排出部１２１ａ側に移動するようになる。外部ハウジング１２１の空気流入部には外部ハウジング１２１の空気流入部を通じて昆虫のような異物が入り込むのを防止するためのフィルタ１２３が提供される。
【００３０】
金属フレーム１２９のスリットを通過した水粒子は、インペラ１２４の回転によって外部ハウジング１２１内部に流入された外部空気の移動に合流して外部ハウジング１２１上部の噴霧排出部１２１ａを通じて排出される。
【００３１】
本発明によれば、防除機１００は、外部ハウジング１２１の噴霧排出部１２１ａに一端部が結合する連結部１６６を含むダクト１６０をさらに含む。ダクト１６０は、連結部１６６の他端部が結合される本体１６０ａを有し、本体１６０ａの後方には送風手段１８０が装着される装着部が提供され、本体１６０ａの前方には空気が吐出される吐出部１６４が提供される。下記に説明される水粒子がダクト１６０の本体１６０ａ側に円滑に流入され得るように、ダクト１６０は大体「Ｙ」の構造になる。
【００３２】
本体１６０ａの内部は、送風手段１８０の作動によって送風される空気が吐出部１６４側に流動する空気流動路が提供される。送風手段１８０は駆動モーターの駆動軸端部にファンが装着されている構造で製作され得る。
【００３３】
ダクト１６０は、噴霧手段に対して垂直方向に角度調節可能であり、かつ水平方向に回転可能な構造で製作され得る。これは吐出部１６４を通じて吐出される水粒子の噴霧方向を調節するためである。例えば、ダクト１６０の連結部１６６の一端部は外部ハウジング１２１の噴霧排出部１２１ａに水平方向の左右に回転可能に装着されることができ、かつ連結部１６６の他端部にはダクト１６０の本体１６０ａが垂直方向に角度調節するように結合することができる。
【００３４】
上述されたとおり、噴霧手段１２０において形成されて外部ハウジング１２１の噴霧排出部１２１ａを通じて排出される水粒子は、ダクト１６０の連結部１６０を経由してダクト１６０の本体１６０ａ側に流動した後、送風手段１８０の作動によって送風される空気と共に本体１６０ａの空気流動路に沿って吐出部１６４側に流動するようになる。その結果、金属フレーム１２９のスリットを通過した超微粒霧形態の水粒子は送風手段１８０の作動によって外部に噴霧される。
【００３５】
図面符号１７０は、回転モーター１２６と送風手段１８０の作動を制御する制御部であり、制御部１７０の制御作動によって噴霧手段１２０から発生する水粒子の粒子サイズと噴霧量を調節し、かつ吐出部１６４を通じて吐出される水粒子の噴霧距離を調節するようになる。例えば、回転モーター１２６の回転速度を増加させると、中空管１２２の内部に流入される防除液の流入量を増加させるだけでなく、金属フレーム１２９に衝突する衝撃力を増加させることによって水粒子の粒子サイズを微細に形成するようになる。また、送風手段１８０の駆動モーターの駆動速度を増加させると、空気の送風力を増加させて吐出部１６４を通じて吐出される水粒子の噴霧距離を増加させるようになる。
【００３６】
本発明によれば、防除機１００は、中空管１２２を取り囲むように防除タンク１１０に設けられ、前記防除液が滞り無く通過可能な複数個の通水口１３０ａが下部に形成されている円筒の分離タンク１３０をさらに含む。分離タンク１３０は、防除機１００が移動する間、防除液の揺れを減少させて防除液がインペラ１２４に接触するのを防止するようになる。
【００３７】
中空管１２２の下部外側面には分離タンク１３０内部の防除液を攪拌させる攪拌翼１５０が設けられる。攪拌翼１５０は中空管１２２の回転と共に回転しながら分離タンク１３０内部に存在する防除液を攪拌させて農薬、栄養剤のような粉末薬剤と水が均一に混合されるようにする。
【００３８】
一方、分離タンク１３０によっても防除液の揺れを防止することができないほど防除液の揺動が激しい場合、揺れる防除液がインペラ１２４に衝突するようになり、これはインペラ１２４の送風効率を落として噴霧効率を低下させ、甚だしい場合にはインペラ１２４を破損させるようになる。よって、分離タンク１３０内部に揺動防止板１４０が設けられる。
【００３９】
このような現象を防止するために、本発明による防除機１００は、防除タンク１１０に貯蔵されている防除液の水位に応じて中空管１２２に沿って上下方向に移動可能なように中央に穴が形成されており、前記防除液の表面に浮いている状態で分離タンク１３０内部に設けられている揺動防止板１４０をさらに含む。
【００４０】
揺動防止板１４０は、防除液の表面に浮いている状態で提供されて防除タンクが移動する間、防除液が揺動するのを防止するようになる。すなわち、防除タンクが移動する間、分離タンク１３０外部の防除液は揺動しても分離タンク１３０内部の防除液は揺動防止板１４０によって揺動しなくなる。
【００４１】
一方、防除タンク１１０が移動する間、傾くようになると、防除タンク１１０に貯蔵されている防除液は重力によって平面を維持し、中空管１２２は防除液の平面に対して傾いた状態を維持する。これは中空管の内部面に沿って防除液が円滑に上昇できない原因として作用するようになる。
【００４２】
防除タンク１１０が傾いた状態でも防除液の上昇が円滑になされ得るように揺動防止板１４０は、前記防除液の表面に接触する平坦部１４２と平坦部１４２の枠において折曲されて前記分離タンクの内側面に接触するフランジ部１４４とからなる。これは防除タンク１１０が傾いた状態で、分離タンク１３０内部に位置する揺動防止板１４０も同様に傾き、その結果、揺動防止板１４０の平坦部１４２に接触する防除液の表面も傾いた状態を維持するので、防除液は中空管１２２の内部面に沿って円滑に上昇するようになる。
【００４３】
本発明による防除機１００は、車輪が装着されている移送手段に設けられて移動しながら防除液を噴霧することができる。
【００４４】
以下、本発明による防除機の作動について説明する。
【００４５】
回転モーター１２６が動作して回転軸１２６ａが回転するようになると、中空管１２２が回転するようになり、これと連動して第１回転板１２８ａ及び第２回転板１２８ｂと、インペラ１２４と攪拌翼１５０も回転するようになる。第１回転板１２８ａと第２回転板１２８ｂの回転によって防除液に浸かっている中空管１２２内部の防除液は中空管１２２の内部面に沿って上昇した後、第１回転板１２８ａと第２回転板１２８ｂとの間の流動空間部に沿って流動するようになる。そして、前記流動空間部から吐出される防除液は金属フレーム１２９に衝突して超微粒状態の水粒子を形成し、このような超微粒状態の水粒子は金属フレーム１２９のスリットを通過する。
【００４６】
スリットを通過した超微粒の水粒子は、中空管１２２と共に回転するインペラ１２４の回転によって外部ハウジング１２１の内部に流入された外部空気と共に流動するようになる。そして、水粒子は送風手段１８０の作動によってダクト１６０の本体１６０ａの空気流動路に沿って流動する空気と共に吐出部１６４を通じて外部に噴霧される。
【００４７】
このとき、防除タンク１１０が移動する間、分離タンク１３０の外部に存在する防除液は揺動する反面、分離タンク１３０内部の防除液は揺動防止板１４０によって揺動しない状態を維持する。
【００４８】
また、装着台が傾いた場合にも分離タンク１３０内部に存在する防除液は揺動防止波１４０によって分離タンク１３０と同様に傾く反面、分離タンク１３０外部の防除液は重力によって平面状態を維持するようになる。
【００４９】
したがって、本発明によれば、防除タンク１１０が移動する間、防除液が揺動するか、または防除タンクが傾いて防除液が傾いていても防除液の噴霧効率を向上させることができる。
【００５０】
前記内容は、本発明の好ましい実施例を単に例示したもので、本発明が属する技術分野の当業者は特許請求の範囲に記載された本発明の思想及び要旨から外れずに本発明に対する修正及び変更を加えることができる。
【符号の説明】
【００５１】
１００：防除機
１１０：防除タンク
１２０：噴霧手段
１３０：分離タンク
１４０：揺動防止板
１５０：攪拌翼
１６０：ダクト
１７０：制御部
１８０：送風手段
【図１】
2014226142.tif 000003